(57)【要約】【課題】安全性を保ちながら施工の自由度が高い空気調和機の配管接続構造を提供する。【解決手段】可燃性冷媒を用いた空気調和機の配管接続構造であって、冷媒配管３の少なくとも貫通穴２０から室内冷媒管継手１５の近傍まで被覆し両端が開口している筒状の配管被覆材６と、前記室内冷媒管継手１５と室内側管継手１３を接続後に、前記室内冷媒管継手１５近傍の気密性を保ちながら前記室内側管継手１３から前記配管被覆材６までを覆う配管カバー８を備え、前記配管カバー８と前記配管被覆材６を気密性のある気密フィルム１８で密着固定したもので、室内冷媒管継手１５が室内あるいは屋内などに設置しなければならない場合でも、室内冷媒管継手１５からの漏洩冷媒を室内に漏らすことなく、漏洩冷媒を配管被覆材６と冷媒配管３の隙間を通って屋外に排出され、空気調和機の安全性を保ちながら施工の自由度を向上させることができる。【選択図】図２
2013064525.tif 000002
【特許請求の範囲】
【請求項１】
屋外に室外機、屋内に室内機が設置され、建屋壁部の貫通穴を通して冷媒配管により接続されてなると共に、可燃性冷媒を用いた空気調和機の配管接続構造であって、前記冷媒配管の少なくとも前記貫通穴から前記室内機側の室内冷媒管継手の近傍まで被覆し両端が開口している筒状の配管被覆材と、前記室内冷媒管継手と室内側管継手を接続後に、前記室内冷媒管継手近傍の気密性を保ちながら前記室内側管継手から前記配管被覆材までを覆う配管カバーを備え、前記配管カバーと前記配管被覆材を気密性のある気密フィルムで密着固定したことを特徴とする空気調和機の配管接続構造。
【請求項２】
配管カバーは、少なくとも室内側管継手から貫通穴の屋外近傍までの長さを有することを特徴とする請求項１に記載の空気調和機の配管接続構造。
【請求項３】
屋外に室外機、屋内に室内機が設置され、建屋壁部の貫通穴を通して冷媒配管により接続されてなると共に、可燃性冷媒を用いた空気調和機の配管接続構造であって、前記冷媒配管の少なくとも前記貫通穴から前記室内機側の室内冷媒管継手の近傍まで被覆し両端が開口している筒状の配管被覆材と、前記室内冷媒管継手と室内側管継手を接続後に、前記室内側管継手と前記室内冷媒管継手と前記配管被覆材を覆う気密カバーとを備えたことを特徴とする空気調和機の配管接続構造。
【請求項４】
気密カバーを熱収縮チューブで構成したことを特徴とする請求項３に記載の空気調和機の配管接続構造。
【請求項５】
室内冷媒管継手、室内側管継手はフレア継手であることを特徴とする請求項１〜４のいずれか１項に記載の空気調和機の配管接続構造。
【請求項６】
配管被覆材を断熱材で形成したことを特徴とする請求項１〜５のいずれか１項に記載の空気調和機の配管接続構造。
【請求項７】
室内冷媒管継手近傍で、配管被覆材と冷媒配管の間に挿入設置され、漏洩冷媒の流路を確保する円筒形スペーサーを設置したことを特徴とする請求項１〜６のいずれか１項に記載の空気調和機の配管接続構造。
【請求項８】
室内冷媒管継手に配管長手方向に溝を設けたことを特徴とする請求項１〜７のいずれか１項に記載の空気調和機の配管接続構造。
【発明の詳細な説明】
【技術分野】
【０００１】
本発明は、空気調和機の配管接続構造に関するもので、特に、可燃性冷媒を用いた空気調和機の配管接続構造に関するものである。
【背景技術】
【０００２】
従来の空気調和機の配管接続構造として、図６、７に示すようなものがあった（例えば、特許文献１参照）。
【０００３】
図６は、上記特許文献１に記載された従来の空気調和機の配管接続構造を示す縦断面図である。
【０００４】
図６において、従来の空気調和機の配管接続構造は、建屋壁部１２を隔てて屋内側に室内機１が配置され、屋外側に室外機２が配置されており、建屋壁部１２を貫通して配置された冷媒配管３によって接続されている。冷媒配管３は、室内機１側に接続された室内機側配管４と、室外機２側に接続された室外機側配管５と、室内機側配管４と室外機側配管５を相互に接続する様に構成されている。
【０００５】
そして、室内機側配管４と室外機側配管５は、工場生産時に、予め室内機１あるいは室外機２に接続しておき、冷媒配管３は、現場設置時に、室内機側配管４及び室外機側配管５に対して、室内冷媒管継手１５及び室外冷媒管継手１６を使用して接続する。
【０００６】
さらに、室内機側配管４と冷媒配管３との室内側管継手１３は、室内機１に近い場所に、室外機側配管５と冷媒配管３との室外側管継手１４は、室外機２に近い場所に配置する。このとき、建屋壁部１２の貫通穴２０は、スリーブ９を設置し、壁内部への冷媒漏洩などを防止している。
【０００７】
スリーブ９の筒部１０を、室内側より、建屋壁部１２に設けた貫通穴２０に差し込んで封止板１１を建屋壁部１２に接触させると共に、室内機側配管４と冷媒配管３を接続する室内冷媒管継手１５を、スリーブ９の筒部１０内部に配置して、スリーブ９と建屋壁部１２を密着させて、スリーブ９の室内機１側に設けた貫通穴２０は、冷媒配管３が貫通した後は封止され、スリーブ９の筒部１０の室外機２側開口部は外気と連通するように構成されている。
【０００８】
また、一般的に室内冷媒管継手１５、室外冷媒管継手１６としては、相互に噛合される雄型部材と雌型部材とにより配管端部をラッパ状に拡開してこれを圧縮密着することでシール性を確保するようにしたフレア継手を用いている。
【０００９】
図７は、蒸気圧縮式冷凍サイクルを用いた空気調和機の一般的な冷媒回路図を示しており、図６と同一部位には、同一符号を付している。このうち、配管３ａ、４ａ、５ａは液側配管、配管３ｂ、４ｂ、５ｂはガス側配管をそれぞれ示している。そして、冷媒回路には、圧縮機、四方弁、室外熱交換器、絞り装置、液接の配管３ａ、室内熱交換器、ガス側の配管３ｂが順次接続されている。
【先行技術文献】
【特許文献】
【００１０】
【特許文献１】特許第３７８３２０８号公報
【発明の概要】
【発明が解決しようとする課題】
【００１１】
しかし、上記従来の空気調和機の配管接続構造の構成では、室内冷媒管継手１５をスリーブ９の筒部１０内部に配置して室内冷媒管継手１５からの漏洩冷媒を室内に流れない様にしているため、室内あるいは屋内に設置しなければならい施工ケースの場合や、室内冷媒管接続を建屋壁部１２の内部に設置しなければならない場合には適用できない。
【００１２】
本発明は、上記従来の課題を解決するもので、可燃性冷媒を使用した空気調和機において、室内冷媒管継手を、室内あるいは屋内または建屋壁部の内部に設置しなければならない施工ケースなどの場合においても室内冷媒管継手からの漏洩冷媒を室内に漏らすことなく、空気調和機の安全性を保ちながら施工の自由度を向上させた空気調和機の配管接続構造を提供することを目的とする。
【課題を解決するための手段】
【００１３】
前記従来の課題を解決するために、本発明の空気調和機の配管接続構造は、屋外に室外機、屋内に室内機が設置され、建屋壁部の貫通穴を通して冷媒配管により接続されてなると共に、可燃性冷媒を用いた空気調和機の配管接続構造であって、前記冷媒配管の少なくとも前記貫通穴から前記室内機側の室内冷媒管継手の近傍まで被覆し両端が開口している筒状の配管被覆材と、前記室内冷媒管継手と室内側管継手を接続後に、前記室内冷媒管継手近傍の気密性を保ちながら前記室内側管継手から前記配管被覆材までを覆う配管カバーを備え、前記配管カバーと前記配管被覆材を気密性のある気密フィルムで密着固定したもので、室内側冷媒管継手を、室内あるいは屋内または建屋壁部の内部に設置しなければならない施工ケースなどの場合においても、室内冷媒管継手からの漏洩冷媒を室内に漏らすことなく、漏洩冷媒を配管被覆材と冷媒配管の隙間を通って屋外に排出され空気調和機の安全性を保ちながら施工の自由度を向上させることができる空気調和機の配管接続構造を提供できる。
【００１４】
また、本発明の空気調和機の配管接続構造は、屋外に室外機、屋内に室内機が設置され、建屋壁部の貫通穴を通して冷媒配管により接続されてなると共に、可燃性冷媒を用いた空気調和機の配管接続構造であって、前記冷媒配管の少なくとも前記貫通穴から前記室内機側の室内冷媒管継手の近傍まで被覆し両端が開口している筒状の配管被覆材と、前記室内冷媒管継手と室内側管継手を接続後に、前記室内側管継手と前記室内冷媒管継手と前記配管被覆材を覆う気密カバーとを備えたもので、室内側冷媒管継手を、室内あるいは屋内または建屋壁部の内部に設置しなければならない施工ケースなどの場合においても、室内冷媒管継手からの漏洩冷媒を室内に漏らすことなく、漏洩冷媒を配管被覆材と冷媒配管の隙間を通って屋外に排出され空気調和機の安全性を保ちながら施工の自由度を向上させることができる空気調和機の配管接続構造を提供できる。
【発明の効果】
【００１５】
本発明によれば、可燃性冷媒を使用した空気調和機において、室内冷媒管継手を、室内あるいは屋内または建屋壁部の内部に設置しなければならない施工ケースなどの場合において、室内冷媒管継手からの漏洩冷媒を室内に漏らすことなく、空気調和機の安全性を保ちながら施工の自由度を向上させることができる空気調和機の配管接続構造を提供できる。
【図面の簡単な説明】
【００１６】
【図１】本発明の実施の形態１における空気調和機の配管接続構造を示す縦断面図
【図２】図１のＡ部の拡大断面図
【図３】同空気調和機の配管接続構造の組立て図
【図４】本発明の第２の実施の形態における空気調和機の配管接続構造を示す縦断面図
【図５】図４のＢ部の拡大断面図
【図６】従来の空気調和機の配管接続構造を示す縦断面図
【図７】同空気調和機の一般的な冷媒回路図
【発明を実施するための形態】
【００１７】
第１の発明は、屋外に室外機、屋内に室内機が設置され、建屋壁部の貫通穴を通して冷媒配管により接続されてなると共に、可燃性冷媒を用いた空気調和機の配管接続構造であって、前記冷媒配管の少なくとも前記貫通穴から前記室内機側の室内冷媒管継手の近傍まで被覆し両端が開口している筒状の配管被覆材と、前記室内冷媒管継手と室内側管継手を接続後に、前記室内冷媒管継手近傍の気密性を保ちながら前記室内側管継手から前記配管被覆材までを覆う配管カバーを備え、前記配管カバーと前記配管被覆材を気密性のある気密フィルムで密着固定したもので、室内側冷媒管継手を、室内あるいは屋内または建屋壁部の内部に設置しなければならない施工ケースなどの場合においても、室内冷媒管継手からの漏洩冷媒を室内に漏らすことなく、漏洩冷媒を配管被覆材と冷媒配管の隙間を通って屋外に排出され空気調和機の安全性を保ちながら施工の自由度を向上させることができる空気調和機の配管接続構造を提供できる。
【００１８】
第２の発明は、特に、第１の発明の配管カバーは、少なくとも室内側管継手から貫通穴の屋外近傍までの長さを有するもので、配管被覆材に破れや穴があった場合も漏洩冷媒は室内に漏れることなく屋外に排出でき、安全性を保ちながら施工の自由度を向上させることができる空気調和機の配管接続構造を提供できる。
【００１９】
第３の発明は、屋外に室外機、屋内に室内機が設置され、建屋壁部の貫通穴を通して冷媒配管により接続されてなると共に、可燃性冷媒を用いた空気調和機の配管接続構造であって、前記冷媒配管の少なくとも前記貫通穴から前記室内機側の室内冷媒管継手の近傍まで被覆し両端が開口している筒状の配管被覆材と、前記室内冷媒管継手と室内側管継手を接続後に、前記室内側管継手と前記室内冷媒管継手と前記配管被覆材を覆う気密カバーとを備えたもので、室内側冷媒管継手を、室内あるいは屋内または建屋壁部の内部に設置しなければならない施工ケースなどの場合においても、室内冷媒管継手からの漏洩冷媒を室内に漏らすことなく、漏洩冷媒を配管被覆材と冷媒配管の隙間を通って屋外に排出され空気調和機の安全性を保ちながら施工の自由度を向上させることができる空気調和機の配管接続構造を提供できる。
【００２０】
第４の発明は、特に、第３の発明の気密カバーを熱収縮チューブで構成したもので、熱収縮チューブを設置後ヘアドライアなどで加熱するだけで気密性が保たれるので施工工数の低減を図りながら、また安全性を保ちながら施工の自由度を向上させることができる空気調和機の配管接続構造を提供できる。
【００２１】
第５の発明は、特に、第１〜４のいずれか一つの発明の室内冷媒管継手、室内側管継手はフレア継手としたもので、施工性が向上すると共に、漏洩冷媒は室内に漏れることなく屋外に排出されるので、安全性を保ちながら施工の自由度を向上させることができる空気調和機の配管接続構造を提供できる。
【００２２】
第６の発明は、特に、第１〜５のいずれか一つの発明の配管被覆材を断熱材で形成したもので、冷媒配管からの放熱あるいは吸熱量が低減でき空気調和機のエネルギー効率を高めると共に、安全性を保ちながら施工の自由度を向上させることができる空気調和機の配管接続構造を提供できる。
【００２３】
第７の発明は、特に、第１〜６のいずれか一つの発明の室内冷媒管継手近傍で、配管被
覆材と冷媒配管の間に挿入設置され、漏洩冷媒の流路を確保する円筒形スペーサーを設置したもので、室内側管継手近傍の配管被覆材の開口を確実に確保できるので、安全性を保ちながら施工の自由度を向上させることができる空気調和機の配管接続構造を提供できる。
【００２４】
第８の発明は、特に、第１〜７のいずれか一つの発明の室内冷媒管継手に配管長手方向に溝を設けたもので、漏洩冷媒が溝を通って屋外に排出されるので、安全性を保ちながら施工の自由度を向上させることができる空気調和機の配管接続構造を提供できる。
【００２５】
以下、本発明の実施の形態について、図面を参照しながら説明する。なお、この実施の形態によって本発明が限定されるものではない。
【００２６】
（実施の形態１）
本発明の実施の形態１における空気調和機の配管接続構造について、図１〜３を用いて説明する。図１は、本実施の形態における空気調和機の配管接続構造を示す縦断面図である。なお、上記従来の空気調和機の配管接続構造と同一部分には同一符号を付してその説明を省略する。
【００２７】
本実施の形態における空気調和機の配管接続構造を用いる空気調和機は、可燃性冷媒を用いたものであり、可燃性冷媒としてはプロパン、イソブタン、アンモニアなど自然冷媒でも良いし、ＨＦＯ１２３４ｙｆ、Ｒ３２やその混合冷媒など弱燃性、微燃性の冷媒でも良い。
【００２８】
図１に示す様に、本実施の形態における空気調和機の配管接続構造では、建屋壁部１２の屋内側に、室内機１が、屋外側に室外機２がそれぞれ設置されており、室内機１と室外機２とは、貫通穴２０を通る冷媒配管３を介して相互に接続されている。そして、この冷媒配管３は、ガス管、液管（２  本の場合を例示する）からなり、室内機側配管４、室外機側配管５及び冷媒配管３の三つの部分から構成されている。
【００２９】
室内機側配管４、室外機側配管５及び後述の配管カバー８は、工場生産時に予め室内機１あるいは室外機２に接続しておき、冷媒配管３は、これを現場設置時に、室内機側配管４及び室外機側配管５に対して室内冷媒管継手１５と室外冷媒管継手１６を使用して接続する。
【００３０】
さらに、室内機側配管４と冷媒配管３を接続する室内側管継手１３は室内機１に近い場所に、室外機側配管５と冷媒配管３を接続する室外側管継手１４は室外機２に近い場所にそれぞれ配置してある。
【００３１】
室内側管継手１３、室外側管継手１４  には、相互に噛合される雄型部材と雌型部材とにより配管端部をラッパ状に拡開してこれを圧縮密着することでシール性を確保するようにしたフレア継手を用いても良い。
【００３２】
また冷媒配管３は、両端が開口しており一端が、室内冷媒管継手１５の近傍にあり、反対側の一端が室外冷媒管継手１６の近傍にある円筒の配管被覆材６で覆われている。本実施の形態では、この配管被覆材６は、冷媒配管３から外気への放熱や吸熱を低減するため断熱性の高い断熱材で形成されている。
【００３３】
但し、冷媒配管３と配管被覆材６は完全に密着しておらず、冷媒配管３と配管被覆材６の間には隙間があり、冷媒配管３の施工時の曲げによっても完全に密着することは無い。
【００３４】
室内冷媒管継手１５と室内側管継手１３を接続後に、室内冷媒管継手１５近傍の気密性を保ちながら室内側管継手１３から前記配管被覆材６までを覆うことが可能な配管カバー８を備えている。
【００３５】
配管カバー８は、少なくとも室内側管継手１３から貫通穴２０の建屋の外部近傍までの長さがあり、さらに、配管カバー８と配管被覆材６を気密性のある気密フィルム１８で密着固定して漏洩冷媒の外部への拡散を防止している。
【００３６】
全ての配管に関連する施工終了の後には、貫通穴２０は、例えばパテ２１などで封止される。
【００３７】
図２は、図１のＡ部の拡大断面図である。
【００３８】
図２において、円筒形スペーサー２４を、室内冷媒管継手１５近傍に、配管被覆材６と冷媒配管３の間に挿入して冷媒配管３との間に漏洩冷媒の流路を確保する様に設置し、さらに、室内冷媒管継手１５などからの漏洩冷媒が配管被覆材６に流れやすいよう、室内冷媒管継手１５には配管長手方向に溝２３を設けている。
【００３９】
また、配管カバー８と室内側管継手１３の間にはＯリング２２を設置して漏洩冷媒が屋内に漏れ出すのを防止している。
【００４０】
図３は、本実施の形態における空気調和機の配管接続構造の組立て図である。
【００４１】
配管カバー８、Ｏリング２２は、工場生産時に予め設置している。施工現場では、室内冷媒管継手１５と室内側管継手１３を接続した後、配管カバー８を室内側管継手１３にねじ込むことによって、Ｏリング２２と密着固定でき気密性が確保できる。
【００４２】
従って、室内冷媒管継手１５近傍より冷媒漏れが発生した場合、漏洩冷媒は、配管カバー８との隙間または室内冷媒管継手１５の溝２３を通り、円筒形スペーサー２４に入り、配管被覆材６と冷媒配管３の間を通って室外冷媒管継手１６近傍から屋外に排出されるため、可燃性冷媒の屋内への侵入を防止できる。
【００４３】
以上のように、本実施の形態における空気調和機の配管接続構造によれば、可燃性冷媒を使用した空気調和機の設置に当たり、室内冷媒管継手１５を、室内あるいは屋内または建屋壁部１２の内部に設置しなければならない施工ケースなどの場合においても、室内冷媒管継手１５からの漏洩冷媒を室内に漏らすことがないので、空気調和機の安全性を保ちながら施工の自由度を向上させることができる空気調和機の配管接続構造を提供できる。
【００４４】
（実施の形態２）
図４は、本発明の第２の実施の形態における空気調和機の配管接続構造を示す縦断面図、図５は、図４のＢ部の拡大断面図である。なお、上記実施の形態１における空気調和機の配管接続構造と同一部分には、同一符号を付してその説明を省略する。
【００４５】
図４、５において、本実施の形態における空気調和機の配管接続構造は、室内冷媒管継手１５と室内側管継手１３を接続後に、前記室内冷媒管継手１５と前記室内側管継手１３と前記配管被覆材６を覆うことのできる気密カバー２８で密着固定して、漏洩冷媒の外部への拡散を防止するようにしたものである。
【００４６】
全ての配管に関連する施工終了の後には、貫通穴２０は、例えばパテ２１などで封止される。
【００４７】
円筒形スペーサー２４を室内冷媒管継手１５の近傍に、かつ配管被覆材６と冷媒配管３の間に挿入して、冷媒配管３との間に漏洩冷媒の流路を確保する様に設置し、さらに、室内冷媒管継手１５などからの漏洩冷媒が配管被覆材６に流れやすいよう、室内冷媒管継手１５には配管長手方向に溝２３を設けている。
【００４８】
また、気密カバー２８は、熱収縮チューブ等で形成され、室内機側配管４の一部又は全部と、室内側管継手１３と、室内冷媒管継手１５と、配管被覆材６を密着して覆い、その間で気密とし、保護管２５で、気密カバー２８の破れ防止を行なっている。
【００４９】
施工方法としては、室内冷媒管継手１５と室内側管継手１３を接続する前に、収縮させる前の気密カバー２８と保護管２５を、配管被覆材６の外側に挿入した後、室内冷媒管継手１５と室内側管継手１３を接続し、気密カバー２８を適切な位置まで移動して、特に、室内機側配管４と配管被覆材６との気密性に重点を置きながら、ドライアーなどで加熱して収縮させる。その後、保護管２５で、気密カバー２８を覆う。
【００５０】
これによって、室内冷媒管継手１５の近傍より冷媒漏れが発生した場合、漏洩冷媒は、気密カバー２８と室内冷媒管継手１５の隙間または、室内冷媒管継手１５の溝２３を通り、円筒形スペーサー２４に入り、配管被覆材６と冷媒配管３の間を通って、室外冷媒管継手１６近傍から屋外に排出されるため、可燃性冷媒の屋内への侵入を防止できる。
【００５１】
以上のように、本実施の形態によれば、可燃性冷媒を使用した空気調和機の設置に当たり、室内冷媒管継手１５を、室内あるいは屋内に、または、室内冷媒管継手１５を建屋壁部１２の内部に設置しなければならない施工ケースなどの場合においても、室内冷媒管継手１５からの漏洩冷媒を室内に漏らすことなく、空気調和機の安全性を保ちながら、施工の自由度を向上させることができる空気調和機の配管接続構造を提供できる。
【００５２】
尚、上記実施の形態では、図７に示すような冷媒回路図の空気調和機を例に説明したが、四方弁を有しない例えば、加熱専用の給湯機等や、冷却専用のクーラーや、冷凍庫等としても応用できる。また、室外機と室内機が複数台存在するマルチタイプの空気調和機にも勿論適用可能である。
【産業上の利用可能性】
【００５３】
以上のように本発明に係る空気調和機の配管接続構造は、可燃性冷媒、例えば、プロパンガス、イソブタン、アンモニアなど自然冷媒やＨＦＯ１２３４ｙｆ、Ｒ３２やその混合冷媒など弱燃性、微燃性の冷媒を冷媒回路に封入する空気調和機の設置の際、安全性を保ちながら施工の自由度を向上させることができる。
【符号の説明】
【００５４】
１  室内機
２  室外機
３  冷媒配管
３ａ、３ｂ、４ａ、４ｂ、５ａ、５ｂ  配管
６  配管被覆材
８  配管カバー
１２  建屋壁部
１３  室内側管継手
１５  室内冷媒管継手
１８  気密フィルム
２０  貫通穴
２３  溝
２４  円筒形スペーサー
２５  保護管
２８  気密カバー
【図１】
2013064525.tif 000003
【図２】
2013064525.tif 000004
【図３】
2013064525.tif 000005
【図４】
2013064525.tif 000006
【図５】
2013064525.tif 000007
【図６】
2013064525.tif 000008
【図７】
2013064525.tif 000009